(57)【要約】      （修正有）【課題】区画線の線種に応じた逸脱防止支援を行うことができるようにする。【解決手段】線種識別演算部１１ａはカメラユニットで認識した車線認識情報に基づき区画線ＬＬ，ＬＲの線種Ｌｗ，Ｌｙ，Ｌｂを設定する。逸脱判定演算部１１ｂは線種Ｌｗ，Ｌｙ，Ｌｂに応じた逸脱判定閾値ＳＬＷ，ＳＬｙ，ＳＬｂを区画線ＬＬ，ＬＲの内側に設定し、自車両の進行路上の予見距離ＬＰにおける位置と該逸脱判定閾値ＳＬＷ，ＳＬｙ，ＳＬｂとを比較して逸脱の可能性を判定する。横位置偏差演算部１１ｃは逸脱判定演算部１１ｂが逸脱の可能性ありと判定した場合、予見距離ＬＰにおける自車進行路上の前方注視点ＴＰと車線中央に設定した目標点ＴＧとの横位置偏差ΔＴを求め、操舵トルク演算部１１ｄは横位置偏差ΔＴに応じ、自車両を目標点ＴＧへ戻す操舵トルクを設定する。【選択図】図３
2015027837.tif 000002
【特許請求の範囲】
【請求項１】
自車両前方の走行環境から車線を認識する車線認識手段と、
前記車線認識手段で認識した車線に基づき該車線の左右を区画する区画線の線種を識別する線種識別演算手段と、
前記線種識別演算手段で識別した前記区画線の線種に応じて、該区画線を基準とした逸脱判定閾値を設定し、前記自車両の進行路上の予見距離における位置と該逸脱判定閾値とを比較して、逸脱の可能性を判定する逸脱判定演算手段と、
前記逸脱判定演算手段で逸脱の可能性ありと判定した場合、前記予見距離における目標進行路路上の目標点との横位置偏差を求める横位置偏差演算手段と、
前記横位置偏差演算手段で求めた横位置偏差に基づいて前記自車両を前記目標点へ戻す操舵トルクを演算する操舵トルク演算手段と
を備えることを特徴とする車線逸脱防止支援装置。
【請求項２】
前記線種識別演算手段で識別する前記区画線の線種は、白色連続線と黄色連続線と白色破線であり、
前記逸脱判定演算手段で設定する逸脱判定閾値は、前記黄色連続線に設定する逸脱判定閾値が前記白色連続線に設定する逸脱判定閾値よりも内側に設定され、一方前記白色破線に設定する逸脱判定閾値が前記白色連続線に設定する逸脱判定閾値よりも外側に設定されている
ことを特徴とする請求項１記載の車線逸脱防止支援装置。
【請求項３】
前記操舵トルク演算手段は、前記横位置偏差に前記区画線の線種に応じて設定されているゲインを乗算して前記操舵トルクを設定する
ことを特徴とする請求項１或いは２記載の車線逸脱防止支援装置。
【請求項４】
前記ゲインは、前記白色連続線に設定するゲインに比し、前記黄色連続線に設定するゲインが増加され、前記白色破線に設定するゲインが減少されている
ことを特徴とする請求項３記載の車線逸脱防止支援装置。
【請求項５】
前記逸脱判定演算手段は、逸脱の可能性ありと判定した場合、警報を発する
ことを特徴とする請求項１〜４の何れか１項に記載の車線逸脱防止支援装置。
【発明の詳細な説明】
【技術分野】
【０００１】
本発明は、自車両の操舵機構に操舵トルクを付与して、自車両が車線から逸脱することを防止する車線逸脱防止支援装置に関する。
【背景技術】
【０００２】
従来、乗用車等の車両が車線（走行レーンとも言う）を区画する左右いずれかの区画線を逸脱して隣接する車線（走行レーン）等にはみ出したり進入したりすることを防止するため、車載カメラで撮像した自車両前方の走行環境に基づいて左右区画線を認識し、車線逸脱の可能性を判定し、逸脱可能性有りと判定した場合は逸脱防止、及び支援を行う技術が種々提案され、一部は既に実施されているものもある。
【０００３】
この逸脱防止支援技術として代表的なものは、（１）車線の逸脱を予測した場合、警報を吹鳴して運転視野に警告する逸脱警報システム（ＬＤＷ）、（２）車線の逸脱を予測した場合、操舵機構に操舵トルクを付与して、逸脱を防止する逸脱防止制御システム（ＬＤＰ）がある。
【０００４】
通常、これら逸脱防止支援技術では、左右の区画線と自車両との横位置が所定の距離以下となった場合に、逸脱を防止すべく、警報を吹鳴し、或いは操舵トルクを制御するようにしている。
【０００５】
例えば、特許文献１（特開２０１３−９１４９４号公報）には、自車両が走行する車線の左右区画線から内側の所定距離離れた位置に、自車速が増加するに従い車線の中央側へシフトされる逸脱判定閾値を設定することで、自車速が増加するに従い逸脱判定が成立するタイミングを早くする技術が開示されている。
【先行技術文献】
【特許文献】
【０００６】
【特許文献１】特開２０１３−９１４９４号公報
【発明の概要】
【発明が解決しようとする課題】
【０００７】
ところで、区画線は、道路上に車線を規定するために敷設された境界線であり、白色連続線や白色破線以外に黄色連続線等、種々のものが規定されている。各区画線は道路法規上の意味を有しており、例えば、白色の連続線は対向車線へのはみ出しを禁止し、白色の破線は対向車線へはみ出しての走行が可能で、黄色の連続線は対向車線へ追い越しのためにはみ出すことを禁止するものである。
【０００８】
従って、自車両は車速に関係なく白色や黄色の連続線をはみ出すことは禁止され、又、白色破線は、車線変更等で運転者が意図的にはみ出すことは許容される。しかし、上述した文献に開示されている技術では、車線の線種に関係なく、車速に応じて逸脱防止閾値を一律にシフトさせているに過ぎず、例えば、比較的速い速度で走行していれば、区画線が白色の破線であっても、逸脱判定閾値が区画線から中央付近へシフトされてしまい、運転者の意に反して逸脱防止制御が動作し、運転者に煩雑感を与えてしまう不都合がある。
【０００９】
本発明は、上記事情に鑑み、区画線の線種に応じて、最適な逸脱防止を支援することのできる車線逸脱防止支援装置を提供することを目的とする。
【課題を解決するための手段】
【００１０】
本発明による車線逸脱防止支援装置は、自車両前方の走行環境から車線を認識する車線認識手段と、前記車線認識手段で認識した車線に基づき該車線の左右を区画する区画線の線種を識別する線種識別演算手段と、前記線種識別演算手段で識別した前記区画線の線種に応じて、該区画線を基準とした逸脱判定閾値を設定し、前記自車両の進行路上の予見距離における位置と該逸脱判定閾値とを比較して、逸脱の可能性を判定する逸脱判定演算手段と、前記逸脱判定演算手段で逸脱の可能性ありと判定した場合、前記予見距離における目標進行路路上の目標点との横位置偏差を求める横位置偏差演算手段と、前記横位置偏差演算手段で求めた横位置偏差に基づいて前記自車両を前記目標点へ戻す操舵トルクを演算する操舵トルク演算手段とを備える。
【発明の効果】
【００１１】
本発明によれば、逸脱判定閾値を区画線の線種に応じて設定したので、区画線の線種に最適な逸脱防止を支援することができる。
【図面の簡単な説明】
【００１２】
【図１】車線逸脱防止支援装置を搭載する車両の概略構成図
【図２】カメラユニットの機能ブロック図
【図３】逸脱防止制御ユニットの機能ブロック図
【図４】（ａ）は黄色連続線に対して設定する逸脱防止閾値を示す説明図、（ｂ）は白色連続線に対して設定する逸脱防止閾値を示す説明図、（ｃ）は白色破線に対して設定する逸脱防止閾値を示す説明図
【図５】前方注視点における自車両の左右端点と逸脱防止閾値との関係を示す説明図
【図６】前方注視点と目標点との偏差を示す説明図
【図７】操舵トルクマップの概念図
【発明を実施するための形態】
【００１３】
以下、図面に基づいて本発明の一実施形態を説明する。図１において、車両（自車両）１には、左右前輪ＦＬ，ＦＲと左右後輪ＲＬ，ＲＲとが配設されており、この左右前輪ＦＬ，ＦＲが、ラック＆ピニオン機構等のステアリング機構２にタイロッド３を介して連設されている。又、このステアリング機構２に、先端にハンドル４を固設するステアリング軸５が連設されている。運転者がハンドル４を操作すると、ステアリング機構２を介して前輪ＦＬ，ＦＲが転舵される。
【００１４】
又、ステアリング軸５に電動パワーステアリング（ＥＰＳ）装置６のＥＰＳモータ７が、図示しない伝達機構を介して連設されている。ＥＰＳ装置６はＥＰＳモータ７とＥＰＳ制御ユニット（ＥＰＳ＿ＥＣＵ）８とを有しており、ＥＰＳ＿ＥＣＵ８にてＥＰＳモータ７がステアリング軸５に付与する操舵トルクを制御する。ＥＰＳ＿ＥＣＵ８は後述する操舵トルセンサ１２で検出する操舵トルク、及び車速センサ１３で検出する車速等に応じ、運転者がハンドル４に加える操舵トルクをアシストするトルク（アシストトルク）を設定する。ステアリング軸５にアシストトルクを付与することで運転者のハンドル操作の負担が軽減される。
【００１５】
又、ＥＰＳ＿ＥＣＵ８は、例えば、ＣＡＮ（Controller Area Network）通信等を用いた車内ネットワークを介して逸脱防止制御ユニット（ＬＤＰ＿ＥＣＵ）１１と接続されている。逸脱防止制御においては、ＬＤＰ＿ＥＣＵ１１にて設定した操舵トルクに対応する指令信号がＥＰＳ＿ＥＣＵ８に送信され、ＥＰＳ＿ＥＣＵ８にてＥＰＳモータ７に所定のアシストトルクを発生させて、自車両１が車線の中央方向へ戻るように制御し、区画線からの逸脱を防止する。尚、図示しないが、車内ネットワークには、ＥＰＳ＿ＥＣＵ８、ＬＤＰ＿ＥＣＵ１１以外に、エンジン制御ユニット、変速機制御ユニット、ブレーキ制御ユニット等、車両の走行状態を制御するユニット類が相互通信自在に接続されている。
【００１６】
又、このＬＤＰ＿ＥＣＵ１１には、ステアリング軸５に取り付けられてハンドル４に付与される操舵トルクを検出する操舵トルセンサ１２、車速を検出する車速センサ１３、車体に発生するヨーレート、及び横加速度を検出するヨーレートセンサ１４等、自車両１の挙動を検出するセンサ類が接続されている。更に、この操舵トルセンサ１２で検出した操舵トルク、及び車速センサ１３で検出した車速は、ＬＤＰ＿ＥＣＵ１１で読込まれると共に、後述する車線認識部２４へ送信される。
【００１７】
一方、符号２１はカメラユニットであり、図２に示すように、メインカメラ２２ａとサブカメラ２２ｂとからなるステレオカメラで構成された車載カメラ２２と、画像処理部２３、及び車線認識手段としての車線認識部２４が内蔵されている。両カメラ２２ａ，２２ｂは、例えば車内前部のルームミラー上方であって、フロントガラスに近接する位置の車幅方向中央から左右に等間隔を開けて水平な状態で設置されている。又、この各カメラ２２ａ，２２ｂはカラーＣＣＤやカラーＣＭＯＳを搭載したカラーカメラ等のカラー撮像素子が設けられており、この両カラー撮像素子によって自車両１が走行している車線、及びそれを区画する区画線を含む進行方向前方の走行環境の三次元カラー画像が撮影される。尚、区画線は、車両の車線を隣の車線と区分するための、道路面に標示された線の総称であり、白色や黄色の連続線、及び白色の破線等である。
【００１８】
画像処理部２３は、各カメラ２２ａ，２２ｂで撮影した一対のアナログ画像を所定輝度階調のデジタル画像に変換し、メインカメラ２２ａの出力信号から基準画像データを生成し、又、サブカメラ２２ｂの出力信号から比較画像データを生成する。そして、この基準画像データ及び比較画像データとの視差に基づいて両画像中の同一対象物の距離データ（自車両から対象物までの距離）を算出する。
【００１９】
又、車線認識部２４はマイクロコンピュータで構成されており、画像処理部２３から送信される基準画像データと比較画像データとに基づいて生成した仮想道路平面上に、距離データに基づいて算出した左右区画線の内側エッジ、及び外側エッジから区画線の幅、及び連続線か破線かを認識すると共に、内側エッジと外側エッジとで挟まれた領域の色彩から区画線の色を認識する。そして、これら認識したデータを車線認識情報として、ＬＤＰ＿ＥＣＵ１１へ送信する。
【００２０】
図３に示すように、ＬＤＰ＿ＥＣＵ１１は、逸脱防止を制御する機能として、線種識別演算手段としての線種識別演算部１１ａ、逸脱判定演算手段としての逸脱判定演算部１１ｂ、横位置偏差演算手段としての横位置偏差演算部１１ｃ、操舵トルク演算手段としての操舵トルク演算部１１ｄを備えている。
【００２１】
線種識別演算部１１ａは、車線認識部２４から送信された車線認識情報に基づき、左右の区画線が黄色連続線Ｌｙか白色連続線Ｌｗか白色破線Ｌｂかを識別する。図４には車線の左右を区画する区画線ＬＬ，ＬＲの内、対向車線側である右区画線ＬＲの線種を識別した状態が例示されている。ここで、同図（ａ）は黄色連続線Ｌｙ、（ｂ）は白色連続線Ｌｗ、（ｃ）は白色破線Ｌｂである。尚、図示しないが左区画線ＬＬについても、同様に線種が識別されている、
又、逸脱判定演算部１１ｂは、識別した各区画線ＬＬ，ＬＲの線種Ｌｙ，Ｌｗ，Ｌｂに対応する各区画線（図４では右区画線ＬＲ）の内側エッジを基準とする逸脱判定閾値ＳＬｙ，ＳＬｗ，ＳＬｂを設定する。線種として規定されている黄色連続線Ｌｙは車幅が狭く、対向車線への追い越しのためのはみ出しが禁止され、一方、白色連続線Ｌｗは車幅が比較的広い場合であって対向車線へのはみ出しを禁止するものであり、又、白色破線Ｌｂは隣車線へのはみ出しが許容されている。
【００２２】
従って、実走行において、例えば区画線がセンターラインの場合、白色連続線Ｌｗに比し黄色連続線Ｌｙは比較的狭い車線幅に敷設されているため、この黄色連続線Ｌｙを自車両１がはみ出した場合、対向車と遭遇する度合いが高い。これに対し、白色破線Ｌｂは車線内に設定されている車両通行帯の境界線を規定しているものであり、車線変更等においての逸脱が許容されている。運転者は区画線の線種を認識して運転しているため、通常走行或いは高速走行において白色連続線Ｌｗを逸脱することは殆ど無いが、白色破線Ｌｂは意図的に逸脱する頻度が高い。一方、黄色連続線Ｌｙは車幅が狭い道路面に敷設されているため、不用意に逸脱してしまう可能性がある。
【００２３】
そのため、上述した逸脱判定閾値ＳＬｙ，ＳＬｗ，ＳＬｂは、運転者が意図的に逸脱させようとしているのか、或いは不用意に逸脱しようとしているのか、換言すれば、運転者の逸脱させようとする意図的な意識度に応じて設定されている。すなわち、図４に示すように、同図（ｂ）の白色連続線Ｌｗに対する逸脱判定閾値ＳＬｗの間隔Ｗｗを基準とした場合、黄色連続線Ｌｙに対する逸脱判定閾値ＳＬｙの間隔Ｗｙは広く（Ｗｙ＞Ｗｗ）、又、白色破線Ｌｂに対する逸脱判定閾値ＳＬｂの間隔Ｗｂは逸脱判定閾値ＳＬｗの間隔Ｗｗよりも狭く設定されている（Ｗｗ＞Ｗｂ）。
【００２４】
そして、図５に示すように、逸脱判定演算部１１ｂは、区画線の線種に応じて、仮想道路平面上に、車速センサ１３で検出した自車両１の車速とヨーレートセンサ１４で検出したヨーレート（或いはハンドル角）に基づき求めた自車両１の旋回曲率から自車進行路を推定し、この自車進行路上に予見距離ＬＰにおける前方注視点ＴＰを設定する。尚、この予見距離は、車速センサ１３で検出した自車両１の車速に、予め設定されている予見時間（例えば0.5〜2.0[sec]）を乗じて求めたものである（予見距離＝車速・予見時間）。
【００２５】
その後、この前方注視点ＴＰを中心として、その左右に車幅を考慮した左右端点ＴＬ，ＴＲを、自車両１の車幅方向と平行に設定する。
【００２６】
その後、この左右端点ＴＬ，ＴＲの何れかが、逸脱判定閾値ＳＬｙ（或いはＳＬｗ或いはＳＬｂ）を越えて外側にあるかを調べる。そして、図５に示すように、左右端点ＴＬ，ＴＲの何れかが逸脱判定閾値ＳＬｙ（或いはＳＬｗ或いはＳＬｂ）を越えている（図においては右端点ＴＲが越えている）と判定した場合、区画線逸脱の可能性ありと判定し、運転者に音声やブザー音、或いは警報ランプの点灯等により警報を発する。
【００２７】
上述したように、逸脱判定閾値ＳＬｙ，ＳＬｗ，ＳＬｂは、運転者が自車両１を区画線から意図的に逸脱させようとする意識度に応じて設定されているため、区画線が黄色連続線Ｌｙの場合は、白色連続線Ｌｗよりも早いタイミングで逸脱可能性ありと判定され、一方、白色破線Ｌｂの場合は白色連続線Ｌｗよりも遅いタイミングで逸脱可能性ありと判定される。
【００２８】
横位置偏差演算部１１ｃは、逸脱判定演算部１１ｂが区画線逸脱の可能性ありと判定した場合、図６に示すように、予見距離ＬＰの位置における自車進行路の前方注視点ＴＰと自車両１が進行すべき目標進行路（例えば、左右区画線ＬＬ，ＬＲの中央）の目標点ＴＧとの横位置偏差ΔＴを求める。
【００２９】
操舵トルク演算部１１ｄは、横位置偏差演算部１１ｃで求めた横位置偏差ΔＴと線種識別演算部１１ａで求めた区画線の線種とに基づきマップを参照し、或いは、予め設定されている計算式から、横位置偏差ΔＴをゼロにする操舵トルク（制御量）を設定する。本実施形態では、操舵トルクを、図７に示す操舵トルクマップを参照して設定する。同図に示す操舵マップには、区画線の線種Ｌｙ，Ｌｗ，Ｌｂ毎、すなわち、運転者が自車両１を区画線から意図的に逸脱させようとする意識度に応じた傾きＧｙ，Ｇｗ，Ｇｂの操舵トルク特性が設定されている。この傾きＧｙ，Ｇｗ，Ｇｂはゲインであり、操舵トルクを計算式により求める場合は、横位置偏差ΔＴに区画線の線種Ｌｙ，Ｌｗ，Ｌｂ毎に設定されている傾きＧｙ，Ｇｗ，Ｇｂを乗算することで求める。
【００３０】
運転者が自車両１を区画線から意図的に逸脱させようとする意識度は、白色連続線Ｌｗを基準とした場合、黄色連続線Ｌｙは低く、白色破線Ｌｂは高い。そのため、白色連続線Ｌｗの傾きＧｗに対し、黄色連続線Ｌｙの傾きＧｙは増加され、白色破線Ｌｂの傾きＧｂは減少されている。従って、同一の横位置偏差であっても、白色連続線Ｌｗよりも不用意に逸脱しやすい黄色連続線Ｌｙでは、大きな値の操舵トルクが設定され、意図的に逸脱する意識度の高い白色破線Ｌｂは小さな値の操舵トルクが設定される。そして、この操舵トルク演算部１１ｄで設定した操舵トルクがＥＰＳ＿ＥＣＵ８へ送信される。
【００３１】
ＥＰＳ＿ＥＣＵ８では、ＬＤＰ＿ＥＣＵ１１から送信された操舵トルクに基づきＥＰＳモータ７に対し自車両１を目標進行路（図６参照）へ戻すアシストトルクを所定に発生させる。
【００３２】
このように、本実施形態では、区画線の線種Ｌｙ，Ｌｗ，Ｌｂ、すなわち、運転者が自車両１を区画線から意図的に逸脱させようとする意識度に応じて逸脱判定閾値ＳＬｙ，ＳＬｗ，ＳＬｂを設定したので、逸脱の可能性ありと判定するタイミングが白色連続線Ｌｗに比し、黄色連続線Ｌｙが早く、白色破線Ｌｂが遅く設定される。又、横位置偏差ΔＴをゼロにするために発生させる操舵トルクも、区画線の線種Ｌｙ，Ｌｗ，Ｌｂ、すなわち、運転者が自車両１を区画線から意図的に逸脱させようとする意識度に応じて増減させたゲインが設定されているため、白色連続線Ｌｗに比し、黄色連続線Ｌｙはアシストトルクが強く設定され、又、白色破線Ｌｂではアシストトルクが弱く設定される。
【００３３】
その結果、本実施形態では、運転者の認識する区画線の線種に応じて、最適な逸脱防止支援を行うことができ、逸脱防止支援による運転者に与える違和感、不要警報、不要作動が低減される。又、不用意に逸脱する可能性ありと判定した場合には、早めに警報が発せられると共に、強いアシストトルクで逸脱防止制御が行われるため、より高い安全性を得ることができる。
【００３４】
尚、本発明は、上述した実施形態に限るものではなく、例えば、白色連続線Ｌｗ、黄色連続線Ｌｙ、白色破線Ｌｂは、区画線の一例に過ぎず、その他の区画線に対しても、運転者が意図的に逸脱しようとする意識度に応じて、逸脱防止閾値、及び操舵トルクのゲイン（傾き）を適宜設定するようにしても良い。
【符号の説明】
【００３５】
１…自車両
６…ＥＰＳ装置
８…ＥＰＳ制御ユニット
１１…逸脱防止制御ユニット
１１ａ…線種識別演算部
１１ｂ…逸脱判定演算部
１１ｃ…横位置偏差演算部
１１ｄ…操舵トルク演算部
２１…カメラユニット
２２…車載カメラ
２４…車線認識部
Ｌｂ…白色破線
ＬＬ…左区画線
ＬＰ…予見距離
ＬＲ…右区画線
Ｌｗ…白色連続線
Ｌｙ…黄色連続線
ＴＰ…前方注視点
ＴＬ…左端点
ＴＲ…右端点
ＴＧ…目標点
ＳＬｙ，ＳＬｗ，ＳＬｂ…逸脱判定閾値
Ｗｂ，Ｗｗ，Ｗｙ…間隔
ΔＴ…横位置偏差
【図１】
2015027837.tif 000003
【図２】
2015027837.tif 000004
【図３】
2015027837.tif 000005
【図４】
2015027837.tif 000006
【図５】
2015027837.tif 000007
【図６】
2015027837.tif 000008
【図７】
2015027837.tif 000009